(57)【特許請求の範囲】
【請求項１】
商用交流電圧入力端子に入力された商用交流電圧を、力率補正回路を使用して所定の直流電圧に変換する電源装置において、
前記力率補正回路の前段に設けられた突入電流防止用の抵抗と、
前記抵抗に並列に接続されたリレーと、
所定の基準交流電圧を前記商用交流電圧入力端子に供給した際に、商用交流電圧検出点で検出される検出基準交流電圧値と、所定の第１の基準出力電圧及び該第１の基準出力電圧より大きい第２の基準出力電圧それぞれを前記力率補正回路の出力端子に供給した際に、該力率補正回路の出力電圧検出点で検出される第１の検出基準出力電圧値及び第２の検出基準出力電圧値と、が予め記憶された不揮発性メモリと、
前記商用交流電圧及び前記力率補正回路の出力電圧を検出するとともに、検出した前記商用交流電圧、前記力率補正回路の出力電圧及び前記不揮発性メモリに記憶された各値に基づいて、前記力率補正回路及び前記リレーを制御するマイクロコントローラと、を備え、
前記マイクロコントローラは、
検出した前記商用交流電圧が前記検出基準交流電圧値以上になった際に前記力率補正回路を動作させるとともに、検出した前記力率補正回路の出力電圧が前記第２の検出基準出力電圧値以上になると前記リレーをオンにし、
前記商用交流電圧の供給が停止されて、検出した前記商用交流電圧が前記検出基準交流電圧値より小さくなった場合でも、検出した前記力率補正回路の出力電圧が前記第１の検出基準出力電圧値よりも大きい間は前記リレーをオンに保つ
電源装置。
【請求項２】
さらに、前記不揮発性メモリには、異常交流電圧を前記商用交流電圧入力端子に供給した際に、商用交流電圧検出点で検出される検出異常交流電圧値と、過電圧を前記力率補正回路の出力端子に供給した際に、該力率補正回路の出力電圧検出点で検出される検出過電圧値と、が予め記憶されており、
前記マイクロコントローラは、検出した前記商用交流電圧あるいは前記力率補正回路の出力電圧が前記検出異常交流電圧値あるいは前記検出過電圧値以上になると、異常処理を行う
請求項１に記載の電源装置。
【発明の詳細な説明】
【０００１】
【発明の属する技術分野】
本発明は商用交流電圧を入力すると共に力率補正回路を使用し、所定の直流電圧を得るようにした電源装置に関する。
【０００２】
【従来の技術】
従来、商用交流電圧を入力すると共に力率補正回路を使用し、所定の直流電圧を得るようにした図５に示す如き電源装置が提案されている。
【０００３】
この図５の従来の電源装置につき説明するに、図５において、１は例えば１００Ｖの商用交流電圧が供給される電源プラグを示し、この電源プラグ１の一端をヒューズ２、高周波阻止用のフィルタ３を介して全波整流回路４の一方の入力端子４ａに接続すると共にこの電源プラグ１の他端を高周波阻止用のフィルタ３を介して、この全波整流回路４の他方の入力端子４ｂに接続する。
【０００４】
この全波整流回路４の正電圧出力端子４ｃを後述する平滑用コンデンサが充電されていないときに生ずる突入電流を防止するための抵抗器５を介して力率補正回路（ＰＦＣ（Ｐｏｗｅｒ  Ｆａｃｔｏｒ  Ｃｏｒｒｅｃｔｉｏｎ）回路）６の一方の入力端子６ａに接続すると共にこの突入電流防止用の抵抗器５に並列に接続スイッチ７ａ及び電磁装置７ｂより成るリレー７を接続する。この全波整流回路４の負電圧出力端子４ｄをこのＰＦＣ回路６の他方の入力端子６ｂに接続する。
【０００５】
このＰＦＣ回路６は交流入力電流を正弦波状に補正して力率を高くし、その出力端子６ｃ，６ｄに昇圧した例えば直流電圧３９０Ｖを得るようにした昇圧コンバータである。
【０００６】
このＰＦＣ回路６につき説明するに、このＰＦＣ回路６の一方の入力端子６ａを昇圧用のコイル６ｅ及び整流用のダイオード６ｆの直列回路を介して一方の出力端子６ｃに接続し、このコイル６ｅ及びダイオード６ｆの接続点をスイッチング素子を構成する電界効果トランジスタ６ｇのドレインに接続し、この電界効果トランジスタ６ｇのソースを接地し、この電界効果トランジスタ６ｇのゲートをこのＰＦＣ回路６の出力端子６ｃ，６ｄに例えば直流電圧３９０Ｖを得るための制御用ＩＣ（集積回路）６ｈのスイッチング信号出力端子ＯＵＴに接続する。またダイオード６ｆ及び一方の出力端子６ｃの接続点を平滑用コンデンサ６ｉを介して接地する。
【０００７】
このＰＦＣ回路６の他方の入力端子６ｂを電流検出用の抵抗器６ｊを介して、このＰＦＣ回路６の他方の出力端子６ｄに接続すると共にこの他方の出力端子６ｄを接地する。この全波整流回路４の正電圧出力端子４ｃを抵抗器８を介して、この制御用ＩＣ６ｈの交流入力電流を正弦波にするための入力信号が供給される入力端子ＩＡＣに接続する。
【０００８】
また、ＰＦＣ回路６の出力端子６ｃに得られる出力電圧をこの制御用ＩＣ６ｈの出力電圧入力端子ＶＳに供給する。また、全波整流回路４の一方の入力端子４ａをダイオード９のアノードに接続すると共にこの全波整流回路４の他方の入力端子４ｂをダイオード１０のアノードに接続し、之等ダイオード９及び１０の夫々のカソードを互に接続する。
【０００９】
このダイオード９及び１０の夫々のカソードの接続点を例えば４つの抵抗器１１，１２，１３及び１４の直列回路を介して接地し、この抵抗器１３及び１４の接続点を電圧検出用の比較回路を構成する演算増幅回路１５の非反転入力端子＋に接続すると共にこの抵抗器１３及び１４の接続点を平滑用のコンデンサ１６を介して接地し、この演算増幅回路１５の反転入力端子−を基準電圧が得られる基準電圧素子１７を介して接地する。
【００１０】
この電圧検出用の比較回路を構成する演算増幅回路１５は全波整流回路４の一方及び他方の入力端子４ａ及び４ｂ間に得られる交流（ＡＣ）電圧を検出するもので、この一方及び他方の入力端子４ａ及び４ｂ間に図６Ｃに示す如く例えばＡＣ７０Ｖ以上の交流電圧が得られたときに、この演算増幅回路１５の出力側はハイレベル“１”が得られる如くなされたものである。
【００１１】
この演算増幅回路１５の出力信号により制御用ＩＣ６ｈをオン・オフする如くする。即ちこの演算増幅回路１５の出力信号がハイレベル“１”となったときにこの制御用ＩＣ６ｈを動作状態とし、この演算増幅回路１５の出力信号がローレベル“０”のときは、この制御用ＩＣ６ｈを不動作状態とする。
【００１２】
またＰＦＣ回路６の一方の出力端子６ｃを例えば４つの抵抗器１８，１９，２０及び２１の直列回路を介して接地し、この抵抗器２０及び２１の接続点を電圧検出用の比較回路を構成する演算増幅回路２２の非反転入力端子＋に接続すると共にこの抵抗器２０及び２１の接続点を平滑用のコンデンサ２３を介して接地し、この演算増幅回路１５の反転入力端子−を基準電圧が得られる基準電圧素子２４を介して接地する。
【００１３】
この電圧検出用の比較回路を構成する演算増幅回路２２はこのＰＦＣ回路６の出力端子６ｃ，６ｄに得られる直流（ＤＣ）出力電圧を検出するもので、この出力端子６ｃ，６ｄに図６Ｂ及び図６Ｄに示す如く例えばＤＣ３５０Ｖ以上の直流電圧が得られたときに、この演算増幅回路２２の出力側にハイレベル“１”が得られる如くなされたものである。
【００１４】
この演算増幅回路２２の出力信号をリレー７を制御するナンド回路２５の一方の入力端子に供給すると共に演算増幅回路１５の出力信号をこのナンド回路２５の他方の入力端子に供給する如くし、このナンド回路２５の出力側がローレベル“０”となったときにこのリレー７の電磁装置７ｂに電流を流し接続スイッチ７ａをオンする如くする。
【００１５】
このＰＦＣ回路６の一方及び他方の出力端子６ｃ及び６ｄに得られる例えばＤＣ３９０Ｖの直流電圧を主コンバータ回路２６に供給し、この主コンバータ回路２６の出力端子２６ａ及び２６ｂに得られる直流電圧を主装置（セット）の電源として供給する如くする。この主コンバータ回路２６としては、例えば絶縁型のフライバック式コンバータ回路で、１次側のＤＣ３９０Ｖから２次側の主装置（セット）等が使用する直流電圧例えばＤＣ１２Ｖに変換される。
【００１６】
また、このＰＦＣ回路６の出力端子６ｃ，６ｄに得られる直流電圧をこの主コンバータ２６の１次側の制御回路及び２次側の制御回路に電源を供給する補助電源回路２７に供給する如くする。
【００１７】
この補助電源回路２７はパルス幅変調制御用集積回路（ＰＷＭ制御用ＩＣ）２７ａにより制御されるスイッチング型定電圧回路より成るもので、このＰＦＣ回路６の一方の出力端子６ｃを起動用抵抗器２７ｂを介してこのＰＷＭ制御用ＩＣ２７ａの動作電圧が供給される電源端子Ｖｃｃに接続すると共にこの一方の出力端子６ｃをトランス２８の１次巻線２８ａを介してスイッチング素子を構成する電界効果トランジスタ２７ｃのドレインに接続し、この電界効果トランジスタ２７ｃのソースを接地し、この電界効果トランジスタ２７ｃのゲートをこの補助電源回路２７の出力電圧に応じてパルス幅変調されたスイッチング信号が得られるこのＰＷＭ制御用ＩＣ２７ａの出力端子ＯＵＴに接続する。
【００１８】
このトランス２８の２次巻線２８ｂに得られる交流信号を整流回路２９に供給し、この整流回路２９の出力端子２９ａ，２９ｂに得られる直流電圧を主装置（セット）等の制御回路用の電源として使用する如くする。
【００１９】
このトランス２８の３次巻線２８ｃの一端を整流用のダイオード２７ｄを介して制御用ＩＣ６ｈの動作電圧を供給する電源端子Ｖｃｃに接続すると共にＰＷＭ制御用ＩＣ２７ａのこの補助電源回路２７の出力電圧に応じた電圧を供給する出力電圧入力端子ＶＳに接続する。この３次巻線２８ｃの他端を接地する。このダイオード２７ｄ及びＰＷＭ制御用ＩＣ２７ａの出力電圧入力端子ＶＳの接続点を平滑用のコンデンサ２７ｅを介して接地する。
【００２０】
このダイオード２７ｄ及びコンデンサ２７ｅの接続点を逆流防止用のダイオード２７ｆを介してＰＷＭ制御用ＩＣ２７ａの電源端子Ｖｃｃに接続し、このダイオード２７ｆ及びこのＰＷＭ制御用ＩＣ２７ａの電源端子Ｖｃｃの接続点を平滑用のコンデンサ２７ｇを介して接地する。また、このダイオード２７ｄ及びコンデンサ２７ｅの接続点をリレー７の電磁装置７ｂを介してナンド回路２５の出力側に接続する。
【００２１】
斯る従来の電源装置においては電源プラグ１に図６Ａに示す如くＡＣ１００Ｖの商用電源が供給され全波整流回路４の入力端子４ａ及び４ｂ間のＡＣ電圧が例えば７０Ｖになったときに、ＡＣ電圧検出用の演算増幅回路１５の出力側が図６Ｃに示す如くハイレベル“１”となり、このときＰＦＣ回路６の制御用ＩＣ６ｈが動作状態となり、ＰＦＣ回路６を制御すると共にこのＰＦＣ回路６の出力電圧は図６Ｂに示す如く上昇する（補助電源回路２７のＰＷＭ制御用ＩＣ２７ａはＡＣ電圧７０Ｖとなる前に起動され、この補助電源回路２７も動作状態となっている。）。このときリレー７が動作するまでは突入防止用の抵抗器５が挿入され突入電流が阻止される。
【００２２】
このＰＦＣ回路６が動作状態となったときは、このＰＦＣ回路６の出力端子６ｃ，６ｄに得られる出力電圧は図６Ｂに示す如く上昇する。この出力端子６ｃ，６ｄの出力電圧が例えばＤＣ３５０Ｖとなったときは、出力電圧検出用の演算増幅回路２２の出力側が図６Ｄに示す如くハイレベル“１”となり、ナンド回路２５の出力側を図６Ｅに示す如くローレベル“０”とするのでリレー７の電磁装置７ｂに電流が流れ接続スイッチ７ａをオンとする如くする。電源プラグ１にＡＣ１００Ｖ商用電源が供給され続けているときは、この状態を継続し、主装置（セット）等に所定の電源を供給しつづける。
【００２３】
電源をオフし、電源プラグ１にＡＣ１００Ｖの商用電源の供給を停止したときはＡＣ電圧検出用の演算増幅回路１５の出力側が図６Ｃに示す如くローレベル“０”となりＰＦＣ回路６の制御用ＩＣ６ｈは不動作状態となりＰＦＣ回路６の出力端子６ｃ，６ｄの出力電圧は図６Ｂに示す如く低下し、これが例えばＤＣ３５０Ｖ以下となったときは出力電圧検出用の演算増幅回路２２の出力側が図６Ｄに示す如くローレベル“０”となると共にナンド回路２５の出力側が図６Ｅに示す如くハイレベル“１”となりリレー７の電磁装置７ｂに電流が流れなくなり、リレー７の接続スイッチ７ａがオフされ電流防止用の抵抗器５が挿入され、その後ＰＦＣ回路６の出力端子６ｃ，６ｄの出力電圧は図６Ｂに示す如く零となる。
【００２４】
【発明が解決しようとする課題】
然しながら、この従来の電源装置において、演算増幅回路１５、抵抗器１１，１２，１３，１４、コンデンサ１６、基準電圧の基準電圧素子１７より成るＡＣ電圧検出回路と演算増幅回路２２、ナンド回路２５、抵抗器１８，１９，２０，２１、コンデンサ２３、基準電圧２４より成るＰＦＣ回路６の出力端子６ｃ，６ｄの出力電圧検出回路とは夫々素子数が多く構成が複雑であり、夫々の素子のばらつきによる調整が困難である不都合があった。
【００２５】
更にＡＣ電圧検出回路においては、全世界の商用電源を考えるとＡＣ１００Ｖ〜ＡＣ２４０Ｖの間の種々の電圧に対応して、この電圧を検出するようにしたときにはこのＡＣ電圧検出回路の素子数が多くなりその調整が困難となる不都合がある。
【００２６】
また、このＡＣ電圧検出回路においては、ダイオード９，１０等によるアナログの両波整流信号を演算増幅回路１５に比較信号として供給しているので、この両波整流信号は電圧値が変化すると共に雑音等が混入されたときには、この演算増幅回路１５の出力側がハイレベル“１”とローレベル“０”とを繰り返し、リレー７がチャタリングを生ずる恐れがあると共にＰＦＣ回路６の制御用ＩＣ６ｈの動作状態、不動作状態を繰り返す不都合を生ずる恐れがある。
【００２７】
更にこのＡＣ電圧検出回路及び出力電圧検出回路の調整等が不良で誤動作を生じたときにはリレー７のオン・オフに誤動作を発生し、主コンバータ２６が動作して、主装置（セット）等に電力を供給しているときには、突入電流が流れ抵抗器等を焼損する不都合がある。
【００２８】
本発明は斯る点に鑑み、このＡＣ電圧検出回路及び出力電圧検出回路の各素子のばらつきを調整することなく誤動作を生じないようにすることを目的とする。
【００２９】
【課題を解決するための手段】
本発明電源装置は、商用交流電圧入力端子に入力された商用交流電圧を、力率補正回路を使用して所定の直流電圧に変換する電源装置において、前記力率補正回路の前段に設けられた突入電流防止用の抵抗と、前記抵抗に並列に接続されたリレーと、所定の基準交流電圧を前記商用交流電圧入力端子に供給した際に、商用交流電圧検出点で検出される検出基準交流電圧値と、所定の第１の基準出力電圧及び該第１の基準出力電圧より大きい第２の基準出力電圧それぞれを前記力率補正回路の出力端子に供給した際に、該力率補正回路の出力電圧検出点で検出される第１の検出基準出力電圧値及び第２の検出基準出力電圧値と、が予め記憶された不揮発性メモリと、前記商用交流電圧及び前記力率補正回路の出力電圧を検出するとともに、検出した前記商用交流電圧、前記力率補正回路の出力電圧及び前記不揮発性メモリに記憶された各値に基づいて、前記力率補正回路及び前記リレーを制御するマイクロコントローラと、を備え、前記マイクロコントローラは、検出した前記商用交流電圧が前記検出基準交流電圧値以上になった際に前記力率補正回路を動作させるとともに、検出した前記力率補正回路の出力電圧が前記第２の検出基準出力電圧値以上になると前記リレーをオンにし、前記商用交流電圧の供給が停止されて、検出した前記商用交流電圧が前記検出基準交流電圧値より小さくなった場合でも、検出した前記力率補正回路の出力電圧が前記第１の検出基準出力電圧値よりも大きい間は前記リレーをオンに保つものである。
【００３０】
本発明によれば、予め商用交流電圧入力端子に基準交流電圧及び力率補正回路の出力端子に基準出力電圧を夫々供給して、この商用交流電圧検出点及びこの力率補正回路の出力電圧検出点に得られる検出基準交流電圧値及び検出基準出力電圧値を不揮発性メモリに記憶しておき、実使用時に、この不揮発性メモリに記憶した、この検出基準交流電圧値及び検出基準出力電圧値を使用して、この商用交流電圧及びこの力率補正回路の出力電圧を検出するようにしており、この検出基準交流電圧値及び検出基準出力電圧値は素子のばらつきを含んだ値であり、何等調整することなく、この検出基準交流電圧値及び検出基準出力電圧値を使用することにより実際の動作においての交流電圧及び力率補正回路の出力端子の出力電圧を正確に検出することができ、誤動作を生ずることがない。
【００３１】
また、本発明によれば、実使用時に不揮発性メモリに記憶した検出基準交流電圧値及び検出基準出力電圧値を使用して、商用交流電圧及び力率補正回路の出力電圧をデジタル処理により検出してリレー及び制御用ＩＣを制御するのでチャタリングを生じたり、動作状態・不動作状態を小期間で繰り返すことがなく、良好に動作させることができる。
【００３２】
【発明の実施の形態】
以下図１〜図４を参照して、本発明電源装置の実施の形態の例につき説明しよう。この図１例において、図５に対応する部分には同一符号を付して示す。
【００３３】
この図１例において、１は例えば１００Ｖの商用交流電圧が供給される電源プラグを示し、この電源プラグ１の一端をヒューズ２、高周波阻止用のフィルタ３を介して全波整流回路４の一方の入力端子４ａに接続すると共にこの電源プラグ１の他端を高周波阻止用のフィルタ３を介して、この全波整流回路４の他方の入力端子４ｂに接続する。
【００３４】
この全波整流回路４の正電圧出力端子４ｃを後述する平滑用コンデンサ６ｉが充電されていないときに生ずる突入電流を防止するための抵抗器５を介して力率補正回路（ＰＦＣ（Ｐｏｗｅｒ  Ｆａｃｔｏｒ  Ｃｏｒｒｅｃｔｉｏｎ）回路）６の一方の入力端子６ａに接続すると共にこの突入電流防止用の抵抗器５に並列に接続スイッチ７ａ及び電磁装置７ｂより成るリレー７を接続する。この全波整流回路４の負電圧出力端子４ｄをこのＰＦＣ回路６の他方の入力端子６ｂに接続する。
【００３５】
このＰＦＣ回路６は交流入力電流を正弦波状に補正して力率を補正し、その出力端子６ｃ，６ｄに昇圧した例えば直流電圧３９０Ｖを得るようにした昇圧コンバータである。
【００３６】
このＰＦＣ回路６につき説明するに、このＰＦＣ回路６の一方の入力端子６ａを昇圧用のコイル６ｅ及び整流用のダイオード６ｆの直列回路を介して一方の出力端子６ｃに接続し、このコイル６ｅ及びダイオード６ｆの接続点をスイッチング素子を構成する電界効果トランジスタ６ｇのドレインに接続し、この電界効果トランジスタ６ｇのソースを接地し、この電界効果トランジスタ６ｇのゲートをこのＰＦＣ回路６の出力端子６ｃ，６ｄに例えば直流電圧３９０Ｖを得るための制御用ＩＣ（集積回路）６ｈのスイッチング信号出力端子ＯＵＴに接続する。またダイオード６ｆ及び一方の出力端子６ｃの接続点を平滑用コンデンサ６ｉを介して接地する。
【００３７】
このＰＦＣ回路６の他方の入力端子６ｂを電流検出用の抵抗器６ｊを介して、このＰＦＣ回路６の他方の出力端子６ｄに接続すると共にこの他方の出力端子６ｄを接地する。この全波整流回路４の正電圧出力端子４ｃを抵抗器８を介して、この制御用ＩＣ６ｈの交流入力電流を正弦波にするための入力信号が供給される入力端子ＩＡＣに接続する。
【００３８】
また、ＰＦＣ回路６の出力端子６ｃに得られる出力電圧をこの制御用ＩＣ６ｈの出力電圧入力端子ＶＳに供給する。また、全波整流回路４の一方の入力端子４ａをダイオード９のアノードに接続すると共にこの全波整流回路４の他方の入力端子４ｂをダイオード１０のアノードに接続し、之等ダイオード９及び１０の夫々のカソードを互に接続する。
【００３９】
このダイオード９及び１０の夫々のカソードの接続点を例えば４つの抵抗器１１，１２，１３及び１４の直列回路を介して接地し、本例においてはこの抵抗器１３及び１４の接続点に得られる電圧を１チップマイクロコントローラ３０の交流電圧検出端子ＶAC及びアナログ信号をデジタル信号に変換するＡ−Ｄ変換器を介して中央制御装置（ＣＰＵ）に供給する如くする。この場合Ａ−Ｄ変換器は外付けであっても良い。この１チップマイクロコントローラ３０は従来と同様に構成されたものである。この抵抗器１３及び１４の接続点を平滑用のコンデンサ１６を介して接地する。この１チップマイクロコントローラ３０はこの交流電圧検出端子ＶACに得られる全波整流回路４の一方及び他方の入力端子４ａ及び４ｂ間の交流（ＡＣ）電圧を検出するもので、この一方及び他方の入力端子４ａ及び４ｂ間に図２Ｃに示す如く例えばＡＣ７０Ｖ以上の交流電圧が得られたときに、この１チップマイクロコントローラ３０の出力端子ＰＦにハイレベル“１”が得られる如くなされたものである。
【００４０】
この１チップマイクロコントローラ３０の出力端子ＰＦに得られる出力信号により制御用ＩＣ６ｈをオン・オフする如くする。即ちこの１チップマイクロコントローラ３０の出力端子ＰＦの出力信号がハイレベル“１”となったときにこの制御用ＩＣ６ｈを動作状態とし、この１チップマイクロコントローラ３０の出力端子ＰＦの出力信号がローレベル“０”のときは、この制御用ＩＣ６ｈを不動作状態とする。
【００４１】
またＰＦＣ回路６の一方の出力端子６ｃを例えば４つの抵抗器１８，１９，２０及び２１の直列回路を介して接地し、この抵抗器２０及び２１の接続点に得られる電圧をこの１チップマイクロコントローラ３０の出力電圧検出端子ＶP 及びアナログ信号をデジタル信号に変換するＡ−Ｄ変換器を介してＣＰＵに供給する如くする。この場合、Ａ−Ｄ変換器は外付けであっても良い。この抵抗器２０及び２１の接続点を平滑用のコンデンサ２３を介して接地する。
【００４２】
この１チップマイクロコントローラ３０はこのＰＦＣ回路６の出力端子６ｃ，６ｄに得られる直流（ＤＣ）出力電圧を検出するもので、この出力端子６ｃ，６ｄに図２Ｂに示す如く立上りに例えばＤＣ３７０Ｖ以上の直流電圧が得られ、立下りがＤＣ３４０Ｖになるまでの間、この１チップマイクロコントローラ３０の出力端子ＲＹに図２Ｄに示す如くハイレベル“１”が得られる如くなされたものである。
【００４３】
この１チップマイクロコントローラ３０の出力端子ＲＹに得られる出力信号をリレー７を制御するｎｐｎ形トランジスタ３１のベースに供給し、このトランジスタ３１のエミッタを接地し、このトランジスタ３１のコレクタをリレー７を構成する電磁装置７ｂの他端に接続し、この１チップマイクロコントローラ３０の出力端子ＲＹがハイレベル“１”のときにこのリレー７の電磁装置７ｂに電流を流し接続スイッチ７ａをオンする如くする。
【００４４】
このＰＦＣ回路６の一方及び他方の出力端子６ｃ及び６ｄに得られる例えばＤＣ３９０Ｖの直流電圧を主コンバータ回路２６に供給し、この主コンバータ回路２６の出力端子２６ａ及び２６ｂに得られる直流電圧を主装置（セット）の電源として供給する如くする。この主コンバータ回路２６としては、例えば絶縁型のフライバック式コンバータ回路で、１次側のＤＣ３９０Ｖから２次側の主装置（セット）等が使用する直流電圧例えばＤＣ１２Ｖに変換される。
【００４５】
また、このＰＦＣ回路６の出力端子６ｃ，６ｄに得られる直流電圧をこの主コンバータ回路２６の１次側の制御回路及び２次側の制御回路に電源を供給する補助電源回路２７に供給する如くする。
【００４６】
この補助電源回路２７はパルス幅変調制御用集積回路（ＰＷＭ制御用ＩＣ）２７ａにより制御されるスイッチング型定電圧回路より成るもので、このＰＦＣ回路６の一方の出力端子６ｃを起動用抵抗器２７ｂを介してこのＰＷＭ制御用ＩＣ２７ａの動作電圧が供給される電源端子Ｖｃｃに接続すると共にこの一方の出力端子６ｃをトランス２８の１次巻線２８ａを介してスイッチング素子を構成する電界効果トランジスタ２７ｃのドレインに接続し、この電界効果トランジスタ２７ｃのソースを接地し、この電界効果トランジスタ２７ｃのゲートをこの補助電源回路２７の出力電圧に応じてパルス幅変調されたスイッチング信号が得られるこのＰＷＭ制御用ＩＣ２７ａのスイッチング信号出力端子ＯＵＴに接続する。
【００４７】
このトランス２８の２次巻線２８ｂに得られる交流信号を整流回路２９に供給し、この整流回路２９の出力端子２９ａ，２９ｂに得られる直流電圧を主装置（セット）等の制御回路用の電源として使用する如くする。
【００４８】
このトランス２８の３次巻線２８ｃの一端を整流用のダイオード２７ｄを介して制御用ＩＣ６ｈの動作電圧を供給する電源端子Ｖｃｃに接続すると共にＰＷＭ制御用ＩＣ２７ａのこの補助電源回路２７の出力電圧に応じた電圧を供給する出力電圧入力端子ＶＳに接続する。この３次巻線２８ｃの他端を接地する。このダイオード２７ｄ及びＰＷＭ制御用ＩＣ２７ａの出力電圧入力端子ＶＳの接続点を平滑用のコンデンサ２７ｅを介して接地する。
【００４９】
このダイオード２７ｄ及びコンデンサ２７ｅの接続点を逆流防止用のダイオード２７ｆを介してＰＷＭ制御用ＩＣ２７ａの電源端子Ｖｃｃに接続し、このダイオード２７ｆ及びこのＰＷＭ制御用ＩＣ２７ａの電源端子Ｖｃｃの接続点を平滑用のコンデンサ２７ｇを介して接地する。また、このダイオード２７ｄ及びコンデンサ２７ｅの接続点をリレー７の電磁装置７ｂの一端に接続する。
【００５０】
本例においては、この１チップマイクロコントローラ３０に関連して不揮発性メモリ例えばＥＥＰＲＯＭ（Ｅｌｅｃｔｒｉｃａｌ  Ｅｒａｓａｂｌｅ  Ｐｒｏｇｒａｍｍａｂｌｅ  ＲＯＭ）３２を設け、この電源装置の製造時等に、このＥＥＰＲＯＭ３２に予め次のようにして種々の検出基準電圧値を記憶する如くする。
【００５１】
この種々の検出基準電圧値を記憶するときは、この１チップマイクロコントローラ３０をテストモードとするので、図３に示すフローチャートにおけるステップＳ１の判断ではテストモードとなる。このテストモードのステップＳ２においてはこの電源装置の電源プラグ１に、基準のＡＣ７０Ｖを供給し、このときの１チップマイクロコントローラ３０の交流電圧検出端子ＶACに得られる検出基準交流電圧値をＡ−Ｄ変換器を介してこの１チップマイクロコントローラ３０のワークＲＡＭに記憶する如くする。
【００５２】
次のステップＳ３では、この電源装置の電源プラグ１に異常の例えばＡＣ３３０Ｖを供給し、このときの１チップマイクロコントローラ３０の交流電圧検出端子ＶACに得られる検出異常交流電圧値をＡ−Ｄ変換器を介して、この１チップマイクロコントローラ３０のワークＲＡＭに記憶する。
【００５３】
この場合、この検出基準交流電圧値及び検出異常交流電圧値は夫々抵抗器１１，１２，１３，１４の抵抗値等のばらつきを含めた値である。
【００５４】
次にステップＳ４において、ＰＦＣ回路６の一方及び他方の出力端子６ｃ及び６ｄ間に第１の基準出力電圧例えばＤＣ３４０Ｖを供給し、このときの１チップマイクロコントローラ３０の出力電圧検出端子ＶP に得られる検出第１基準出力電圧値をＡ−Ｄ変換器を介して１チップマイクロコントローラ３０のワークＲＡＭに記憶する如くする。
【００５５】
次にステップＳ５において、ＰＦＣ回路６の一方及び他方の出力端子６ｃ及び６ｄ間に第２の基準出力電圧例えばＤＣ３７０Ｖを供給し、このときの１チップマイクロコントローラ３０の出力電圧検出端子ＶP に得られる検出第２の基準出力電圧値をＡ−Ｄ変換器を介して１チップマイクロコントローラ３０のワークＲＡＭに記憶する如くする。
【００５６】
次にステップＳ６において、ＰＦＣ回路６の一方及び他方の出力端子６ｃ及び６ｄ間に過電圧（このＰＦＣ回路６の何らかの異常電圧を想定した電圧）例えば平滑用コンデンサ６ｉの耐圧が４５０Ｖであるときには４３０Ｖを供給し、このときの１チップマイクロコントローラ３０の出力電圧検出端子ＶP に得られる検出過電圧値をＡ−Ｄ変換器を介して１チップマイクロコントローラ３０のワークＲＡＭに記憶する如くする。
【００５７】
この場合、検出第１の基準出力電圧値、検出第２の基準出力電圧値及び検出過電圧値は夫々抵抗器１８，１９，２０，２１の抵抗値等のばらつきを含めた値である。
【００５８】
次にステップＳ７において、１チップマイクロコントローラ３０のワークＲＡＭに記憶した検出基準交流電圧値、検出異常交流電圧値、検出第１の基準出力電圧値、検出第２の基準出力電圧値及び検出過電圧値をＥＥＰＲＯＭ３２の所定番地に書き込み記憶する如くし、終了する。
【００５９】
この場合、検出基準交流電圧値、検出異常交流電圧値、検出第１の基準出力電圧値、検出第２の基準出力電圧値及び検出過電圧値のＥＥＰＲＯＭ３２への書き込みは之等を検出する毎に書き込む如くしても良い。
【００６０】
次に本例による電源装置の実使用時につき図３のフローチャート及び図４を参照して説明する。１チップマイクロコントローラ３０はこのときはテストモードでないのでステップＳ１でテストモードでないと判断され、ＥＥＰＲＯＭ３２に記憶している検出基準交流電圧値、検出異常交流値、検出第１の基準出力電圧値、検出第２の基準出力電圧値及び検出過電圧値をこの１チップマイクロコントローラ３０のワークＲＡＭに読み出す如くする（ステップＳ８）。
【００６１】
ここで、この１チップマイクロコントローラ３０の出力端子ＰＦ及び出力端子ＲＹのこの図３フローチャートにでてくるモードを図４に示す。
【００６２】
電源プラグ１に図２Ａに示す如くＡＣ１００Ｖの商用電源が供給されたときは初めはモード０にセットされ（ステップＳ９）、このときは出力端子ＰＦ及びＲＹは共にローレベル“０”である。
【００６３】
次に交流電圧検出端子ＶACに供給される電圧が検出基準交流電圧値以上であるかどうかを判断する（ステップＳ１０）。この交流電圧検出端子ＶACに供給される電圧が検出基準交流電圧値以上即ち全波整流回路４の入力端子４ａ及び４ｂ間のＡＣ電圧が例えばＡＣ７０Ｖ以上になったときに出力端子ＰＦは図２Ｃに示す如く、ハイレベル“１”となり、このときＰＦＣ回路６の制御用ＩＣ６ｈが動作状態となり、ＰＦＣ回路６の出力端子６ｃ，６ｄの出力電圧は図２Ｂに示す如く上昇する（補助電源回路２７のＰＷＭ制御用ＩＣ２７ａはＡＣ電圧７０Ｖとなる前に起動され、この補助電源回路２７も動作状態となっている。）。このときリレー７が動作するまでは突入電流防止用の抵抗器５が挿入されており、突入電流が阻止される。
【００６４】
次にステップＳ１１に移行してモード２であるかどうかが判断され、モード２でないときには、出力電圧検出端子ＶP に得られる電圧が検出第２の基準出力電圧値以上であるかどうかが判断され（ステップＳ１２）、これが検出第２の基準出力電圧値以下のときはモード１とされ（ステップＳ１３）、このＰＦＣ回路６の出力端子６ｃ，６ｄの出力電圧が図２Ｂに示す如く上昇し、この出力端子６ｃ，６ｄの出力電圧が例えばＤＣ３７０Ｖ以上となったときは、モード２とされ（ステップＳ１４）、出力端子ＲＹもハイレベル“１”となり、トランジスタ３１をオンとし、リレー７の電磁装置７ｂに電流が流れ接続スイッチ７ａをオンとし、電流をこの接続スイッチ７ａを介してＰＦＣ回路６に供給する如くする。
【００６５】
この場合、交流電圧検出端子ＶACに供給される検出電圧が検出異常交流電圧値以上即ち電源プラグ１に供給される交流電圧が例えばＡＣ３３０Ｖ以上であるかどうかが判断される（ステップＳ１５）と共に出力電圧検出端子ＶP に供給される検出電圧が検出過電圧値以上即ち出力電圧が過電圧例えば４３０Ｖ以上であるかどうかを判断（ステップＳ１６）し、共に“ＮＯ”のときは上述を繰り返し、モード２を継続する。またこのステップＳ１５及びＳ１６のいずれかで“Ｙｅｓ”のときは異常処理を行う（ステップＳ１７）。
【００６６】
また交流電源をオフとし、電源プラグ１にＡＣ１００Ｖの商用電源の供給を停止したときは、ステップＳ１０で交流電圧検出端子ＶACに供給される電圧が検出基準交流電圧値以下と判断され、ステップＳ１８に移行され、モード０であるかどうかが判断される。
【００６７】
このＡＣ１００Ｖの商用電源の供給を停止したときはＰＦＣ回路６の出力端子６ｃ，６ｄの出力電圧は図２Ｂに示す如く低下する。このステップＳ１８でモード０でないと判断されたときはステップＳ１９に移行し、出力電圧検出端子ＶP に得られる電圧が検出第１の基準電圧値以下即ち出力端子６ｃ，６ｄの出力電圧が例えばＤＣ３４０Ｖ以下であるかどうかが判断され、以下でないときにはモード３とされる（ステップＳ２０）。このモード３は出力端子ＰＦはローレベル“０”であり、ＰＦＣ回路６の制御用ＩＣ６ｈを不動作状態とするが、出力端子ＲＹはハイレベル“１”であり、リレー７の接続スイッチ７ａはオンのままである。
【００６８】
ステップＳ１８でモード０のとき及びステップＳ１９で出力電圧検出端子ＶP に得られる電圧が検出第１の基準電圧値以下のときはモード０とする（ステップＳ２１）。このステップＳ１３，Ｓ２０及びＳ２１は夫々ステップＳ１５に移行する。
【００６９】
本例によれば、予め例えば製造時に電源プラグ１に基準交流電圧及び異常交流電圧を供給して、この交流電圧検出点即ち交流電圧検出端子ＶACに得られる検出基準交流電圧値及び検出異常交流電圧値をＥＥＰＲＯＭ３２に記憶すると共に力率補正回路６の出力端子６ｃ，６ｄに第１の基準出力電圧、第２の基準出力電圧及び過電圧を供給して、この力率補正回路６の出力電圧検出点即ち出力電圧検出端子ＶP に得られる検出第１の基準出力電圧値、検出第２の基準出力電圧値及び検出過電圧値をＥＥＰＲＯＭ３２に記憶しておき、実使用時にこのＥＥＰＲＯＭ３２に記憶した検出基準交流電圧値、検出異常交流電圧値、検出第１の基準出力電圧値、検出第２の基準出力電圧値及び検出過電圧値を使用して、この入力交流電圧及び力率補正回路の出力電圧を検出するようにしており、この検出基準交流電圧値、検出異常交流電圧値、検出第１の基準出力電圧値、検出第２の基準出力電圧値及び検出過電圧値は抵抗器１１，１２，１３，１４，１８，１９，２０，２１等の素子のばらつきを含んだ値であり、何等調整することなく入力交流電圧及び力率補正回路の出力端子の出力電圧を正確に検出することができ、誤動作を生ずることがない。
【００７０】
また本例によれば、実使用時にＥＥＰＲＯＭ３２に記憶した検出基準交流電圧値、検出第１及び第２の基準出力電圧値等を使用して入力交流電圧及び力率補正回路の出力電圧をデジタル処理により検出してリレー７及び制御用ＩＣ６ｈを制御するので、チャタリングを生じたり、動作状態、不動作状態を小期間で繰り返すことがなく、良好に動作させることができる。
【００７１】
尚本発明は上述例に限ることなく本発明の要旨を逸脱することなくその他種の構成が採り得ることは勿論である。
【００７２】
【発明の効果】
本発明によれば、予め商用交流電圧入力端子に基準交流電圧を供給して、この交流電圧検出点に得られる検出基準交流電圧値を不揮発性メモリに記憶すると共に力率補正回路の出力端子に基準出力電圧を供給して、この力率補正回路の出力電圧検出点に得られる検出基準出力電圧値を不揮発性メモリに記憶しておき、実使用時にこの不揮発性メモリに記憶した検出基準交流電圧値、検出基準出力電圧値を使用して、この入力交流電圧及び力率補正回路の出力電圧を検出するようにしており、この検出基準交流電圧値及び検出基準出力電圧値は抵抗器等の素子のばらつきを含んだ値であり、何等調整することなく入力交流電圧及び力率補正回路の出力端子の出力電圧を正確に検出することができ、誤動作を生ずることがない。
【００７３】
また本発明によれば、実使用時に不揮発性メモリに記憶した検出基準交流電圧値及び検出基準出力電圧値を使用して入力交流電圧及び力率補正回路の出力電圧をデジタル処理により検出してリレー及び制御用ＩＣを制御するので、チャタリングを生じたり、動作状態、不動作状態を小期間で繰り返すことがなく、良好に動作させることができる。
【図面の簡単な説明】
【図１】本発明電源装置の実施の形態の例を示す構成図である。
【図２】本発明の説明に供するタイミングチャートである。
【図３】本発明の説明に供するフローチャートである。
【図４】本発明の説明に供する線図である。
【図５】従来の電源装置の例を示す構成図である。
【図６】図５の説明に供するタイミングチャートである。
【符号の説明】
１‥‥電源プラグ、４‥‥全波整流回路、５，１１，１２，１３，１４，１８，１９，２０，２１‥‥抵抗器、６‥‥ＰＦＣ回路、７‥‥リレー、２６‥‥主コンバータ回路、２７‥‥補助電源回路、２８‥‥トランス、２９‥‥整流回路、３０‥‥１チップマイクロコントローラ、３１‥‥トランジスタ、３２‥‥ＥＥＰＲＯＭ
【図１】
0004644959.tif 000002
【図２】
0004644959.tif 000003
【図３】
0004644959.tif 000004
【図４】
0004644959.tif 000005
【図５】
0004644959.tif 000006
【図６】
0004644959.tif 000007